(57)【要約】    【課題】  上端開口部を上下のフラップを接着して閉鎖する包装箱において、フラップに付けた吊り片で吊り下げた状態で、下向きの力を受けたとき、上下の接着したフラップが上下に剥がれ難くする。    【解決手段】  上端開口部で上下の接着する右側フラップ２３と左側フラップ２２の下側になる前側フラップ２１は、端を延ばして吊り片３１を形成している。吊り片付き前側フラップ２１は、上端開口部の閉鎖状態で、上下の接着した右側フラップ２３と左側フラップ２２の下側に位置している。吊り片は、端部に掛け孔３２を貫通している。吊り片の掛け孔付き端部は、上端開口部の閉鎖状態で、上下の接着した右側フラップ２３と左側フラップ２２から後側に突出している。吊り片の突出した掛け孔付き端部は、吊り下げ具の掛け片に差し込む構成にしている。【選択図】  図１
0003141016.tif 000002
【実用新案登録請求の範囲】
【請求項１】
上端開口部を上下のフラップを接着して閉鎖する包装箱において、
上端開口部で上下の接着するフラップの下側になるフラップは、端を延ばして吊り片を形成し、吊り片付きフラップは、上端開口部の閉鎖状態で、上下の接着したフラップの下側に位置し、
吊り片は、端部に掛け孔を貫通し、吊り片の掛け孔付き端部は、上端開口部の閉鎖状態で、上下の接着したフラップから突出し、
吊り片の突出した掛け孔付き端部は、吊り下げ具の掛け片に差し込む構成にしたことを特徴とする吊り片付き包装箱。
【請求項２】
上端開口部は、四角形状にし、４枚のフラップを前後左右に設け、前側フラップは、端を延ばして吊り片を形成し、左側フラップと右側フラップは、上下に重ねて接着し、
吊り片付き前側フラップは、上下の接着した左側フラップと右側フラップの下側に位置し、吊り片の掛け孔付き端部は、上下の接着した左側フラップと右側フラップから後側に突出する構成にしたことを特徴とする請求項１に記載の吊り片付き包装箱。
【考案の詳細な説明】
【技術分野】
【０００１】
本考案は、店頭で吊り下げる吊り片付き包装箱に関する。
【背景技術】
【０００２】
小型の商品を包装した包装箱は、店頭で吊り下げ具に吊り下げる。包装箱は、上端に掛け孔付きの吊り片を付属しており、掛け孔付き吊り片を吊り下げ具の掛け片に差し込む。
【０００３】
包装箱は、素材の厚紙を所望の形状に切断し、折り曲げ、接着している。厚紙製の包装箱は、図５と図６に示すように、上端の開口部に４枚のフラップ１〜４を前後左右に設けている。前側フラップ１は、端を延ばして吊り片５を形成し、吊り片５に掛け孔６を貫通している。
【０００４】
上端の開口部は、機械で前後左右のフラップ１〜４を順次内側に折り曲げ、閉鎖している。左側フラップ３は右側に、右側フラップ４は左側に折り曲げている。後側フラップ２は前側に、前側フラップ１は後側に折り曲げている。後側フラップ２は、左側フラップ３と右側フラップ４の上に重ねている。吊り片５付き前側フラップ１は、後側フラップ２の上に重ね、後側フラップ２に接着剤７で接着している。掛け孔６付き吊り片５は、上側に折り曲げている。
【０００５】
【非特許文献１】図５と図６
【考案の開示】
【考案が解決しようとする課題】
【０００６】
［背景技術の課題］
上記の吊り片付き包装箱は、店頭で吊り下げられているとき、下向きの力を受けると、吊り片付き前側フラップからその下側に接着している後側フラップを下側に引き離す力が作用する。吊り下げ中に、吊り片付きフラップは、その下側のフラップから剥がれ易い。包装箱の吊り片付きフラップが剥がれた商品は、販売し難い。
【０００７】
［課題を解決するための着想］
上記の吊り片付き包装箱は、上端開口部で、最上層のフラップに吊り片が付いており、吊り片で吊り下げた状態で下向きの力を受けると、最上層の吊り片付きフラップとその下側に接着しているフラップは、上下に引き裂く力を受ける。そのため、上下の接着したフラップは、上下に剥がれ易い。
【０００８】
そこで、上端開口部を上下のフラップを接着して閉鎖する包装箱において、上端開口部で上下の接着するフラップの下側になるフラップに吊り片を付けることにした。そして、吊り片付きフラップは、上端開口部の閉鎖状態で、上下の接着したフラップの下側に位置させ、吊り片の端部を上下の接着したフラップから突出することにした。この包装箱は、吊り片の突出した端部で吊り下げる。その吊り下げ状態で、下向きの力を受けると、上下の接着したフラップは、共に吊り片の上側に位置していて、上下に引き裂く力を受けない。上下の接着したフラップは、上下に剥がれ難い。
【０００９】
具体的には、吊り片は、上下の接着するフラップの下側になるフラップの端を延ばして形成する。吊り片の端部には、掛け孔を貫通する。吊り片の掛け孔付き端部は、上端開口部の閉鎖状態で、上下の接着したフラップから突出する。吊り片の突出した掛け孔付き端部は、吊り下げ時に、吊り下げ具の掛け片に差し込む。
【課題を解決するための手段】
【００１０】
１）上端開口部を上下のフラップを接着して閉鎖する包装箱において、
上端開口部で上下の接着するフラップの下側になるフラップは、端を延ばして吊り片を形成し、吊り片付きフラップは、上端開口部の閉鎖状態で、上下の接着したフラップの下側に位置し、
吊り片は、端部に掛け孔を貫通し、吊り片の掛け孔付き端部は、上端開口部の閉鎖状態で、上下の接着したフラップから突出し、
吊り片の突出した掛け孔付き端部は、吊り下げ具の掛け片に差し込む構成にしたことを特徴とする吊り片付き包装箱。
２）上記の吊り片付き包装箱において、
上端開口部は、四角形状にし、４枚のフラップを前後左右に設け、前側フラップは、端を延ばして吊り片を形成し、左側フラップと右側フラップは、上下に重ねて接着し、
吊り片付き前側フラップは、上下の接着した左側フラップと右側フラップの下側に位置し、吊り片の掛け孔付き端部は、上下の接着した左側フラップと右側フラップから後側に突出する構成にしたことを特徴とする。
【考案の効果】
【００１１】
本考案の包装箱は、吊り片の突出した掛け孔付き端部で吊り下げる。その吊り下げ状態で、下向きの力を受けると、上下の接着したフラップは、吊り片の上側に位置していて、上下に引き裂く力を受けない。上下の接着したフラップは、上下に剥がれ難い。
【考案を実施するための最良の形態】
【００１２】
実施形態においては、図１〜図３に示す吊り片付き包装箱は、素材の厚紙を所望の形状に切断し、折り曲げ、接着して、直方体形状に組立てている。この直方体は、上下方向に長い。
【００１３】
所望形状の厚紙は、図４に示すように、前側壁１１の左右にそれぞれ左側壁１２と右側壁１３を設け、左側壁１２の左に後側壁１４を設け、後側壁１４の左に糊代１５を設けている。
【００１４】
前側壁１１、左側壁１２、右側壁１３と後側壁１４の上には、それぞれ、前側フラップ２１、左側フラップ２２、右側フラップ２３と後側フラップ２４を突出して設けている。前側フラップ２１と後側フラップ２４は、それぞれ、突出長さを包装箱の前後方向の奥行の半分弱にしている。左側フラップ２２と右側フラップ２３は、それぞれ、突出長さを包装箱の左右方向の幅位ないし幅弱にしている。
【００１５】
前側壁１１、左側壁１２、右側壁１３と後側壁１４の下にも、同様に、前側フラップ２６、左側フラップ２７、右側フラップ２８と後側フラップ２９を突出して設けている。
【００１６】
上端の前側フラップ２１は、端の中央部を延ばして吊り片３１を形成している。吊り片３１は、帯状に延び、端部が包装箱の後側に突出する長さにしている。吊り片３１の端部は、掛け孔３２を貫通している。
【００１７】
包装箱を組立てる際、この厚紙は、前側壁１１、左側壁１２、右側壁１３、後側壁１４と糊代１５を、それらの間の折れ線で同一方向に折り曲げ、糊代１５を右側壁１３の内面に接着し、四角筒形状にする。この四角筒は、上端と下端が四角形状の開口部になる。
【００１８】
四角筒の下端開口部は、前後左右のフラップ２６〜２９を機械で順次折り曲げる。前側フラップ２６と後側フラップ２９を内側に折り曲げる。次に、左側フラップ２７を内側に折り曲げ、右側フラップ２８を内側に折り曲げる。右側フラップ２８は、左側フラップ２７の下に重ね、左側フラップ２７に接着する。四角筒の下端開口部は、閉鎖する。上端が開口した包装箱になる。この包装箱には、上端開口部から商品を入れる。
【００１９】
この包装箱の上端開口部は、前後左右のフラップ２１〜２４を機械で順次折り曲げる。最初に、後側フラップ２４を内側に折り曲げ、次に、吊り片３１付き前側フラップ２１を内側に折り曲げる。吊り片３１は、図３に示すように、後側フラップ２４の上に重ね、掛け孔３２付き端部を包装箱の後側に突出する。その後、左側フラップ２２を内側に折り曲げ、吊り片３１付き前側フラップ２１の上に重ねる。次に、右側フラップ２３を内側に折り曲げる。右側フラップ２３は、左側フラップ２２の上に重ね、左側フラップ２２に接着剤３６で接着する。上端開口部は、閉鎖する。
【００２０】
吊り片３１付き前側フラップ２１は、最上層の右側フラップ２３とその下側に接着した左側フラップ２２の下側に位置する。吊り片３１は、左側フラップ２２と後側フラップ２４に上下を挟まれ、掛け孔３２付き端部が最上層の右側フラップ２３とその下側の左側フラップ２２から後側に突出する。この掛け孔３２付き端部は、図１と図２に示すように、上側に折り曲げる。
【００２１】
商品を包装した包装箱は、上端開口部から上側に突出した吊り片３１の掛け孔３２付き端部を、店頭で吊り下げ具のフック状の掛け片に差し込み、吊り下げ状態で陳列する。吊り下げ中に、下向きの力を受けると、最上層の接着上層の右側フラップ２３と接着下層の左側フラップ２２は、吊り片３１から上向きの力を受け、左右方向のせん断力が作用する。しかし、上下に引き裂く力は、作用しない。上下の接着したフラップ２３、２２は、上下に剥がれ難い。
【００２２】
［変形例］
１）上記の実施形態において、包装箱は、厚紙製にしているが、厚紙に替えて合成樹脂シートを素材にする。そして、接着剤３６による接着に替えて溶着による接着にする。
２）上記の実施形態において、包装箱の上端開口部は、四角形状にしてフラップを４枚にしているが、その他の多角形状にしてフラップをその他の枚数にする。
３）上記の実施形態において、前側フラップ２１と後側フラップ２４は、突出長さを包装箱の奥行の半分弱にしているが、包装箱の奥行弱にする。
４）上記の実施形態において、左側フラップ２２と右側フラップ２３は、突出長さを包装箱の幅位ないし幅弱にしているが、包装箱の幅の半分強にする。
【図面の簡単な説明】
【００２３】
【図１】本考案の実施形態における吊り片付き包装箱の正面、平面と右側面を表す斜視図。
【図２】同吊り片付き包装箱の正面中央縦断面図。
【図３】同吊り片付き包装箱の上端開口部における前後のフラップを内側に、左右のフラップを外側に折り曲げた状態の平面図。
【図４】同吊り片付き包装箱の素材の厚紙の縮小展開図。
【図５】従来の吊り片付き包装箱の正面、平面と右側面を表す斜視図。
【図６】同吊り片付き包装箱の正面中央縦断面図。
【符号の説明】
【００２４】
１  前側フラップ
２  後側フラップ
３  左側フラップ
４  右側フラップ
５  吊り片
６  掛け孔
７  接着剤
１１  前側壁
１２  左側壁
１３  右側壁
１４  後側壁
２１  上端の前側フラップ、吊り片付きフラップ
２２  上端の左側フラップ、接着下層のフラップ
２３  上端の右側フラップ、接着上層のフラップ、最上層のフラップ
２４  上端の後側フラップ
２６  下端の前側フラップ
２７  下端の左側フラップ
２８  下端の右側フラップ
２９  下端の後側フラップ
３１  吊り片
３２  掛け孔
３６  接着剤
【図１】
0003141016.tif 000003
【図２】
0003141016.tif 000004
【図３】
0003141016.tif 000005
【図４】
0003141016.tif 000006
【図５】
0003141016.tif 000007
【図６】
0003141016.tif 000008